(57)【要約】【課題】  従来型の調剤薬局とは全く異なる発想の未来型の薬局を提供することにある。【解決手段】  駅などの交通インフラの拠点に店舗を構える調剤薬局と、各調剤薬局に処方薬を配送するセンターと、を備え、調剤薬局に提出された処方箋に基づき処方箋ごとの処方薬をセンターへ発注し、センターから処方箋ごとに小分け包装された処方薬を調剤薬局へ配送する発注システムを有することを特徴とする調剤薬局管理システムである。【選択図】  図３
2017148430.tif 000002
【特許請求の範囲】
【請求項１】
駅などの交通インフラの拠点に店舗を構える調剤薬局と、各調剤薬局に処方薬を配送するセンターと、を備え、
調剤薬局に提出された処方箋に基づき処方箋ごとの処方薬をセンターへ発注し、センターから処方箋ごとに小分け包装された処方薬を調剤薬局へ配送する発注システムを有することを特徴とする調剤薬局管理システム。
【請求項２】
調剤薬局に提出された処方箋に基づき支払基金への請求書の作成及び患者負担金の算出を行うレセプト用コンピュータシステムを有することを特徴とする請求項１記載の調剤薬局管理システム。
【請求項３】
発注システムは、調剤薬局のレセプト用コンピュータシステムに入力された処方箋内容に基づいた処方薬をセンターへ自動的に発注することを特徴とする請求項１又は２記載の調剤薬局管理システム。
【請求項４】
レセプト用コンピュータシステムで算出された患者負担金を処方箋を提出した患者へ請求する請求システムを有することを特徴とする請求項２又は３記載の調剤薬局管理システム。
【請求項５】
調剤薬局への相談内容、処方箋に伴うレセプトデータ、ウェブ通販による購買データの蓄積と分析を行う管理サーバを有することを特徴とする請求項１から４のいずれかに記載の調剤薬局管理システム。
【発明の詳細な説明】
【技術分野】
【０００１】
本願発明は、従来型の調剤薬局（マンツーマン門前薬局など）とは全く異なる、未来型の薬局（在庫管理機能と窓口・コミュニケーション機能の分離）に関するものである。
【背景技術】
【０００２】
従来型の調剤薬局は、図１に示すような事業モデルが典型的であり、混雑時にはかなりの待ち時間になってしまうことも多い。
また、その運営スタイルも図２に示すように、各調剤薬局ごとに「在庫管理」や「調剤・投薬」を行っており、各調剤薬局の負担が大きく、その分患者（顧客）とのコミュニケーションが十分に図れないなどの弊害がある。
【０００３】
このような弊害を解消するために、例えば前者については「携帯電話を利用した処方薬受け取りシステム」（特許文献１）などが開発されている。
【先行技術文献】
【特許文献】
【０００４】
【特許文献１】特開２０１０−２４６８７３号公報
【発明の概要】
【発明が解決しようとする課題】
【０００５】
確かに、携帯電話・スマートフォンやインターネットなどを上手に利用して、従来型の調剤薬局の課題を改善していくことは可能かもしれない。
しかし、基本的な事業モデルや運営スタイルが大きく変わらない限り、従来型調剤薬局の課題は抜本的に解決されないと思われる。例えば、特許文献１の発明を例に挙げれば、図３に図示する自宅配送での処方薬の受取方法については、配送の際に薬剤師が同行し、患者の自宅で処方薬を渡す時に薬の説明を行うとあるが（同明細書［００２３］第２文）、あまりにも非現実的で実用化にはほど遠い発明と言わざるを得ない。
そこで、本願発明者は、従来型の調剤薬局とは全く異なる発想の未来型の薬局が必要であると考え、本願発明を完成するに至った。
【課題を解決するための手段】
【０００６】
本願発明の第１の発明は、駅などの交通インフラの拠点に店舗を構える調剤薬局と、各調剤薬局に処方薬を配送するセンターと、を備え、調剤薬局に提出された処方箋に基づき処方箋ごとの処方薬をセンターへ発注し、センターから処方箋ごとに小分け包装された処方薬を調剤薬局へ配送する発注システムを有することを特徴とする調剤薬局管理システムである。
本願発明の第２の発明は、調剤薬局に提出された処方箋に基づき支払基金への請求書の作成及び患者負担金の算出を行うレセプト用コンピュータシステムを有することを特徴とする同調剤薬局管理システムである。
本願発明の第３の発明は、発注システムが、調剤薬局のレセプト用コンピュータシステムに入力された処方箋内容に基づいた処方薬をセンターへ自動的に発注することを特徴とする同調剤薬局管理システムである。
本願発明の第４の発明は、レセプト用コンピュータシステムで算出された患者負担金を処方箋を提出した患者へ請求する請求システムを有することを特徴とする同調剤薬局管理システムである。
本願発明の第５の発明は、調剤薬局への相談内容、処方箋に伴うレセプトデータ、ウェブ通販による購買データの蓄積と分析を行う管理サーバを有することを特徴とする同調剤薬局管理システムである。
【発明の効果】
【０００７】
本願発明によれば、以下のような効果を有する。
（１）患者（顧客・利用者）にとっては、出勤や登校等の際に最寄り駅にある調剤薬局へ処方箋を提出しておけば、帰りにその調剤薬局に立ち寄って処方薬を受け取れば良いだけので、待ち時間が全くなくて処方薬を受け取れる。また、患者（顧客・利用者）ごとにＷｅｂアカウントを設定し、そのＷｅｂアカウントを通じて自宅（またはオフィスなど希望の受取場所）配送を希望すれば自宅（または希望の受取場所）に配送されて処方薬を受け取れる。
（２）一方、調剤薬局にとっては、センターから処方箋ごとに小分け包装された処方薬が配送されてくるので、在庫を抱えずに済み、駅ナカなど狭小店舗でも運営が可能になるとともに、店舗内での薬剤のピックアップ作業や在庫チェック・発注業務・納品検品業務が全くなくなる。
（３）また、センターにとっては、調剤店舗全店に渡り在庫品目のダブりがなく効率的な在庫管理ができるとともに、少数の薬剤師で運営が可能になる（センターの業務は調剤薬局ではなく、小分けの医薬品卸業になるので、薬剤師在籍義務の規制を受けないため）。
（４）大幅に調剤薬局店舗内の業務が省力化されるので、その分薬剤師は患者（顧客・利用者）ごとのアカウント通じて、顧客の服薬相談や健康相談に注力出来る。
（５）患者（顧客・利用者）ごとのＷｅｂアカウントを通じて、疾患や服薬状況に合わせた一般市販薬や健康食品等を販売することにより、処方せん薬から健康食品まで一元的に服用管理ができる。またそのデータの蓄積と分析ができる。
【図面の簡単な説明】
【０００８】
【図１】従来型の調剤薬局を説明する説明図（１）。
【図２】従来型の調剤薬局を説明する説明図（２）。
【図３】本願発明に係る調剤薬局管理システムの概念図。
【図４】本願発明による未来型の薬局に関する説明図（１）。
【図５】本願発明による未来型の薬局に関する説明図（２）。
【図６】本願発明による未来型の薬局に関する説明図（３）。
【発明を実施するための形態】
【０００９】
本願発明の実施形態を図面に基づいて説明する。但し、図示するものは、本願発明の一例であり、本願発明は図示のものに限定されるものではない。
【００１０】
図３は、本願発明に係る調剤薬局管理システムを図示した概念図である。
【００１１】
図４〜図６は、本願発明による未来型の薬局に関する説明図である。
図４に図示するように、未来型の薬局では、処方箋を調剤薬局に提出して帰宅することも（処方薬の受け取りは翌日又は配送）、携帯電話やスマートフォンで画像データにした処方箋を送信し用事を済ませた後に調剤薬局で受け取り帰宅することも可能である。
【００１２】
図５に図示するように、未来型の薬局では、卸業者と調剤薬局との間に「センター」を介在させることで、「在庫管理機能」と「窓口・コミュニケーション機能」とを分離させることが可能である。
【００１３】
図６では処方薬の配送を例に図示しているが、未来型の薬局では、「患者（顧客・利用者）」、「調剤薬局」、「センター」のそれぞれにとって非常にメリットがあるシステムとなっている。
【００１４】
以上、本願発明の特徴をまとめると次のようになる。
（１）効率的な在庫管理：調剤薬局の店舗間にアイテムの重複が発生しないため、従来型の調剤薬局に比べ在庫管理コストが圧倒的に低い。
（２）センターの人件費の抑制：センターの業態は調剤薬局ではなく小分けの医薬品卸業となるため、取扱い処方箋数４０枚／日ごとに薬剤師１名在籍義務の規制を受けない。そのため、従来型の調剤薬局とは比較にならない低コスト・オペレーションが可能である。
（３）店舗での業務数の大幅低減：在庫管理・発注業務が不要・薬価改定時の減損がない。調剤直前状態で納品されるため薬のピックアップ作業がない
【産業上の利用可能性】
【００１５】
本願発明は、処方薬の受け取り以外にも、その他の物品の受け取りにも利用できるものである。例えば、「コンタクトレンズ」などの消耗品の受け取りなどである。
【図１】
2017148430.tif 000003
【図２】
2017148430.tif 000004
【図３】
2017148430.tif 000005
【図４】
2017148430.tif 000006
【図５】
2017148430.tif 000007
【図６】
2017148430.tif 000008